(57)【要約】【課題】外見はシンプルで、耳に負担をかけず使用人好みの色に発光するピアスだが、その色をその日の気分等で変えられる様にし、耳のピアス穴に通すピアス棒も使用人の耳の厚さに応じ容易に切断できる物で、小型で軽量、低コストと実際に商品化出来る様ニーズに合った物とする。【解決手段】重くなる材料、部品を使用しない為、光源を発光ダイオードではなく豆電球を使用する事で、小型ボタン電池を３Ｖから１．５Ｖへ小型化と軽量化又、電池を２個から１個で駆動出来る事と抵抗を使用せずに済む。耳のピアス穴に通す部分のピアス棒を光ファイバーとし、耳たぶの厚さに応じてカットして調整出来る物とした。発光色を変化出来る様、着色しては、消して再着色できる回転プラスチック円盤を豆電球と光ファイバーの間に取り付けて色彩変化を演出する。【選択図】        図１
2004254883.tif 000002
【特許請求の範囲】
【請求項１】
耳のピアス穴に通すピアス棒を光ファイバーとし、電源である小型ボタン電池により豆電球等を発行させ使用人の好みの色に着色、消しては再着色できる重り付きの回転プラスチック円盤を通った光が光ファイバーを経て、その端面が着色された色に変化する発光ピアス。
【請求項２】
使用人の耳たぶの厚さにより耳のピアス穴に通すピアス棒の光ファイバーを容易に切断でき、耳たぶの裏側のピアス穴から挿入された光ファイバーの発行する端面部に弾力のある抜け止めストッパーを被せた発光ピアス。
【発明の詳細な説明】
【０００１】
【発明が属する技術分野】
この発明は光ファイバーを豆電球等と小型ボタン電池を用い、着色された重力により回転する円盤を介した光を光ファイバーの先端から導入し片方の発光する端面をピアスの装飾部とした発光するピアスに関する。
【０００２】
【従来の技術】
従来の技術としては、発光するイヤリング、耳飾り等があるが、例えば、光ファイバーを使用したイヤリング技術の実開平５‐６３３１３号公報に関してはピアスではなく、装飾部の中に、電池、発光ダイオード、水晶発振式ムーブメントを配置しているが、実際に形にしようとするとかなり、大きく、重くなると予想される。また公開実用昭和６０‐１４６４１５は発光ダイオードの導体部の外側を導電材料のピアス棒により耳のピアス穴を貫通しているが、ピアス棒が太くなりがちで耳穴に負担をかけるだけでなく、感電の恐れもありうる。そしてこれらの考案では発光部材に発光ダイオードを使用しておりその使用電圧は２．２Ｖぐらいから発光するものであり、１．５ｖのボタン電池は２個を直列にして３ｖとして使用しなければならず、３ｖ用のボタン電池では大きく、又は重くなり、どちらにせよ耳穴に負担がかかる。まして発光ダイオードは直接電流を流すと壊れる欠点があり、抵抗を回路内にいれる必要性がある。今回の提案する発明は耳穴に通すピアス棒を不導体の光ファイバーを使用し、その物の先端が発光装飾ピアスとしてシンプル又お洒落に演出できる発明であり、これら従来の技術とは異なる発光ピアスである。
【０００３】
【発明が解決しようとする課題】
最近は手軽に扱える安価な物に人気が集中している傾向にあり、なおかつ人とは違う又は、目立つ事も重要な要素の１つである。この発明は耳に付ける物である為、重くてはならず、シンプルだが存在感を出すべく、顔を正面から見た時に余計な装飾は見えずに多彩に色変わりする発光色だけをお洒落に演出する事を課題とした。
【０００４】
人の耳たぶの厚さは個人差がある為、市販されているピアスのサイズでは、人により長い物もあれば、短い物もある。物によってはきつい為、耳を圧迫する事もある。普通のピアスの止め金は小さい物であり、後ろから装着しづらく、落下して喪失する事も多々ある。
【０００５】
【課題を解決するための手段】
軽量化を実現する為、ボタン電池は超小型の空気電池等１．５Ｖの物１個を使用し、光源は豆電球とした。
【０００６】
発光色をその日の気分で変えたり、多彩な色彩変化が出来る様、水性ペン等で着色でき、綿棒等で消しては再着色出来る回転するプラスチック円盤を装着した。その回転プラスチック円盤の外側の１部に他より重く、重力を利用して回転する様、重りや、その１部だけを部材を厚くして自由に回転するようにした。
【０００７】
顔を正面にピアスを見た時は発光色だけ目立つ様に、耳のピアス穴の後ろ側から光ファイバーを挿入し、抜け落ちない様に、透明なプラスチック樹脂製の抜け止めストッパーを光ファイバーに被せる様にした。耳たぶの厚さは個人差がある為、厚さに応じ光ファイバーを容易にカットして使用できる物である。それはカットした断面が発光面となる光ファイバーの特徴を利用した物である。
【０００８】
【発明の実施の形態】
耳のピアス穴に装着する通常ピアス棒と呼ばれる物を発光部でもある光ファイバーを使用し光源は豆電球、電源は超小型の空気電池１．５Ｖ等を使用する。その豆電球と小型ボタン電池等が内蔵されている部分はプラスチックで覆われ、上部には回転するプラスチック円盤と光ファイバーが、下部には小型ボタン電池と豆電球を配置し、外側下部のスイッチにより点灯、消灯ができる様に配線をする。この上部、下部は電池交換や回転プラスチック円盤の着色等に取り外し可能な構造となっている。
【０００９】
【実施例】
本発明の本体から本体下部４を取り外し、小型ボタン電池９をセットする。本体上部３にある回転プラスチック円盤５に水性ペン等で好きな色に着色したら本体上部３に本体下部４を取り付ける。着色は小分けに数色を着色すればする程、回転に伴い発光面１２が色彩変化に富み綺麗である。光ファイバー１を耳の後方から耳のピアス穴へ挿入し、抜け止めストッパー２を被せる。スイッチ８をＯＮ側にすると小型ボタン電池９から豆電球７へ電流が流れ発光する。光は回転プラスチック円盤５の着色された色を光ファイバー１へ導入し、発光面１２に表れる。回転プラスチック円盤５は重り６の重力の作用により回転し、多彩な色を演出できる様になっている。
【００１０】
【発明の効果】
今現在、ピアスをしている者は、老若男女を問わず愛用者は多い。この発明品を使用した人々は、その存在をシンプルでありながら、お洒落にアピールでき、夜の人ごみの中等、その人を確認できる判断材料としても重宝する事でしょう。材料、部品等には高価な物、重量の重い物は使用せず小型化と軽量化、低コストを実現でき使用人自身がオリジナルの着色を出来るので楽しむ要素もあり、特に１０代、２０代の女性に支持され、そこから多くの人々への流行を呼ぶ可能性を秘めている。
【図面の簡単な説明】
【図１】本発明の斜視図である。
【図２】側面断面図である。
【図３】図２のＡ’−Ｂ’から見た断面図である。
【図４】図２のＡ−Ｂから見た断面図である。
【図５】図２のＣ−Ｄから見た断面図である。
【図６】本体下部４を下から見た図である。
【図７】本発明の使用例である。
【符号の説明】
１  光ファイバー
２  抜け止めストッパー
３  本体上部
４  本体下部
５  回転プラスチック円盤
６  重り等
７  豆電球
８  スイッチ
９  小型ボタン電池
１０  接点マイナス側
１１  バネ接点プラス側
１２  発光面
【図１】
2004254883.tif 000003
【図２】
2004254883.tif 000004
【図３】
2004254883.tif 000005
【図４】
2004254883.tif 000006
【図５】
2004254883.tif 000007
【図６】
2004254883.tif 000008
【図７】
2004254883.tif 000009